(57)【特許請求の範囲】
【請求項１】
上部が開口された函型の外槽と、上部並びに前面が開放された略四面体の内槽と、外槽を昇降させることにより、内槽を外槽内に収容又は引き出しする昇降機構を備えた介護用バリアフリー介護浴槽であって、
前記内槽は、浴室の洗い場床面とほぼ同一高さの底面を備え、内槽の開口縁部に備えた張り出しフランジ部を浴室内に備えた支持棚に係脱自在に係止され、
前記外槽は、浴室の洗い場床面に形成されたピット内に前記昇降機構により昇降自在に収容され、
前記内槽の底面又は側面の少なくともいずれか一方には外槽内と連通する流通孔が開口されていることを特徴とする介護用バリアフリー浴槽。
【請求項２】
請求項１記載の介護用バリアフリー浴槽において、
前記昇降機構がパンタグラフ式の昇降機構であることを特徴とする介護用バリアフリー浴槽。
【請求項３】
請求項１又は２に記載の介護用バリアフリー浴槽において、
前記内槽を浴室の洗い場床面より上昇させる昇降機構を備えていることを特徴とする介護用バリアフリー浴槽。
【発明の詳細な説明】
【技術分野】
【０００１】
本発明は、介護用バリアフリー浴槽に関する。
【背景技術】
【０００２】
従来、介護用浴槽として、上部が開口された函型の外槽と、上部並びに前面が開放された略四面体の内槽と、内槽又は外槽のいずれか一方を昇降させることにより、内槽を外槽内に収容又は引き出しする昇降機構を備え、内槽を要介護者の洗い場兼入浴槽として備えた構造のものが知られている（特許文献１、２参照）。
この従来例の介護用浴槽では、内槽の前面が開放されていることで、内槽と浴室洗い場床面との間の移動が横移動のみで済むため、介護提供者の労力及び被介護者恐怖心が軽減されるというメリットがある。
【先行技術文献】
【特許文献】
【０００３】
【特許文献１】特開２００３−３１９９９３号公報
【特許文献２】特開２００２−１５３５３５号公報
【発明の概要】
【発明が解決しようとする課題】
【０００４】
しかしながら、外槽に対し内槽を昇降させる特許文献１の介護用浴槽にあっては、外槽は浴室の洗い場床面内に埋め込み固定され、内槽は昇降機構に連結されているため、内槽の取り外しは不可能であり、従って、外槽内の掃除ができないという決定的な問題がある。
また、以上とは逆に、内槽に対し外槽を昇降させる特許文献２の介護用浴槽にあっては、内槽が浴室洗い場床面に固定状態で備え付けられているため、同じく外槽内の掃除ができないという決定的な問題がある。
【０００５】
本発明の解決しようとする課題は、介護提供者の労力及び被介護者の恐怖心が軽減されるというメリットを生かしつつ、外槽内の掃除が可能な介護用バリアフリー浴槽を提供することにある。
【課題を解決するための手段】
【０００６】
上記課題を解決するため請求項１記載の介護用バリアフリー浴槽は、上部が開口された函型の外槽と、上部並びに前面が開放された略四面体の内槽と、外槽を昇降させることにより、内槽を外槽内に収容又は引き出しする昇降機構を備えた介護用バリアフリー介護浴槽であって、
前記内槽は、浴室の洗い場床面とほぼ同一高さの底面を備え、内槽の開口縁部に備えた張り出しフランジ部を浴室内に備えた支持棚に係脱自在に係止され、
前記外槽は、浴室の洗い場床面に形成されたピット内に前記昇降機構により昇降自在に収容され、
前記内槽の底面又は側面の少なくともいずれか一方には外槽内と連通する流通孔が開口されていることを特徴とする。
【０００７】
また、請求項２記載の介護用バリアフリー浴槽は、請求項１記載の介護用バリアフリー浴槽において、
前記昇降機構がパンタグラフ式の昇降機構であることを特徴とする。
【０００８】
また、請求項３記載の介護用バリアフリー浴槽は、請求項１又は２に記載の介護用バリアフリー浴槽において、
前記内槽を浴室の洗い場床面より上昇させる昇降機構を備えていることを特徴とする。
【発明の効果】
【０００９】
請求項１記載の介護用バリアフリー浴槽では、上述のように、内槽は、浴室の洗い場床面とほぼ同一高さの底面を備え、内槽の開口縁部に備えた張り出しフランジ部を浴室内に備えた支持棚に係脱自在に係止され、外槽は、浴室の洗い場床面に形成されたピット内に前記昇降機構により昇降自在に収容された構成としたため、以下のような効果が得られる。
即ち、内槽の前面が開放されているので、内槽と浴室洗い場床面との間の移動が横移動のみで済むため、介護提供者の労力及び被介護者恐怖心が軽減される。
また、内槽の取り外しが可能であるため、外槽の掃除が可能になる。
【００１０】
請求項２記載の介護用バリアフリー浴槽では、上述のように、昇降機構としてパンタグラフ式の昇降機構を用いることで、浅いピット内で外槽の昇降ストロークを大きく取ることができるようになるという効果が得られる。
【００１１】
請求項３記載の介護用バリアフリー浴槽では、上述のように、内槽を浴室の洗い場床面より上昇させる昇降機構を備えることで、外槽内掃除の際の手作業による内槽の取り外し労力を軽減することができるようになるという効果が得られる。
【図面の簡単な説明】
【００１２】
【図１】実施例１の介護用バリアフリー浴槽を示す全体平面図である。
【図２】図１のＳ２−Ｓ２線における縦断面図である。
【図３】実施例１の介護用バリアフリー浴槽を示す浴槽部分の斜視図である。
【発明を実施するための形態】
【００１３】
以下にこの発明の実施例を図面に基づいて説明する。
【実施例１】
【００１４】
まず、この実施例１の介護用バリアフリー浴槽は、請求項１及び２に記載の発明に対応する。
【００１５】
この介護用バリアフリー浴槽は、図１〜３に示すように、内槽１と、内槽１を収容可能な外槽２と、外槽の昇降機構３と、を主な構成として備えている。
【００１６】
さらに詳述すると、前記内槽１は、上部並びに前面が開放された略四面体をなし、前記外槽２は、上部が開口された函型をなしていて、外槽２内に内槽１を収容可能となっている。
【００１７】
前記内槽１は、浴室４の洗い場床面４１とほぼ同一高さの底面１１を備え、内槽１の開口縁部に備えた張り出しフランジ部１２を浴室４内に備えた支持棚４２に係脱自在に係止されている。
また、内槽１の底面１１又は側面の少なくともいずれか一方には外槽２内と連通する流通孔１３が開口されている。
【００１８】
前記外槽２は、浴室４の洗い場床面４１に形成されたピット４３内に収容され、前記昇降機構３により昇降自在に収容されている。
この外槽の昇降機構３の一例として、この実施例１では、図２に示すように、パンタグラフ式の昇降機構が用いられている。図２において、３１はパンタグラフ機構、３２はベース部材、３３は外槽支持台、３４は固定軸、３５は移動軸、３６は移動軸側に備えた雌ねじ部、３７は雌ねじ部に螺合された雄ねじ棒、３８は雄ねじ棒を正逆回転駆動することで外槽支持台３３を昇降駆動する電動モータである。
【００１９】
また、支持棚４２には、電動モータ３８のＯＮ―ＯＦ切り替え操作ボックス４４と、シャワー付き混合栓４５が備えられている。
【００２０】
また、内槽１における前面開口部１４の底面部分には、内槽１の底面１１と外槽２の開口上縁部との間の隙間を埋める薄いゴム製の水切りトレー１５が備えられている。
【００２１】
また、図示を省略したが、外槽２の底部２１の排水口２２は、柔軟な排水ホースを介して下水管に接続されている。
【００２２】
次に、この実施例１の作用を説明する。
この実施例１の介護用バリアフリー浴槽は、上述のように構成されるため、介護提供者が要介護者をお風呂に入れる際は、図２に示すように、昇降機構３により外槽２を上昇させた状態で外槽２内にお湯を張った後、図３に示すように、外槽２をピット４３内に下降させる。すると、内槽１の前面が開口した状態になるので、要介護者を浴室４の洗い場床面４１から内槽１内に楽に横移動させることができる。
次に、図２に示すように、昇降機構３により外槽２を上昇させることで、お湯を張った外槽２内に要介護者を入れた状態にすることができる。
次に、要介護者の体が温まった状態で、図３に示すように、外槽２をピット４３内に下降させることで、内槽１内で要介護者の体を洗ってやることができる。
【００２３】
次に、この実施例１の効果を説明する。
この実施例１の介護用バリアフリー浴槽では、上述のように、内槽１は、浴室４の洗い場床面４１とほぼ同一高さの底面２１を備え、内槽１の開口縁部に備えた張り出しフランジ部１２を浴室４内に備えた支持棚４２に係脱自在に係止され、外槽２は、浴室４の洗い場床面４１に形成されたピット４３内に昇降機構３により昇降自在に収容された構成としたため、以下のような効果が得られる。
即ち、内槽１の前面が開放されているので、内槽１と浴室４の洗い場床面４１との間の移動が横移動のみで済むため、介護提供者の労力及び被介護者恐怖心が軽減される。
また、内槽１の取り外しが可能であるため、外槽１の掃除が可能になる。
【００２４】
また、内槽１の昇降機構３としてパンタグラフ式の昇降機構を用いることで、浅いピット４３内で外槽２の昇降ストロークを大きく取ることができるようになるという効果が得られる。
【００２５】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２６】
この実施例２の介護用バリアフリー浴槽は、請求項３に記載の発明に対応する。
【００２７】
この実施例２は、実施例１における介護用バリアフリー浴槽において、内槽１を浴室４の洗い場床面４１より上昇させる内槽１の昇降機構を備えるようにしたものである。
なお、内槽１の昇降機構としては、例えば、浴室の天井に備えた吊り上げ装置や、浴室の後壁面に備えたリフト式昇降機構や、内槽１の張り出しフランジ部１２の下に備えたシリンダ式昇降機構等、任意の昇降機構を採用することができる。
【００２８】
従って、この実施例２では、実施例１と同様の効果が得られる他、外槽２内を掃除する際の手作業による内槽１の取り外し労力を軽減することができるようになるという追加の効果が得られる。
【００２９】
以上本実施例を説明してきたが、本発明は上述の実施例に限られるものではなく、本発明の要旨を逸脱しない範囲の設計変更等があっても、本発明に含まれる。
【００３０】
例えば、実施例では、外槽２の昇降機構３として、パンタグラフ式を例にとって説明したが、シリンダ式昇降機構や、螺子式昇降機構等、任意の昇降機構を採用することができる。
【００３１】
また、実施例１では、内槽１の底面１１の高さを浴室４の洗い場床面４１とほぼ同じとしたが、洗い場床面４１より底面１１を少し高く設定するようにしてもよい。
【符号の説明】
【００３２】
１  内槽
１１  底面
１２  張り出しフランジ部
１３  流通孔
１４  前面開口部
１５  水切りトレー
２  外槽
２１  底部
２２  排水口
３  外槽の昇降機構
３１  パンタグラフ機構
３２  ベース部
３３  外槽支持台
３４  固定軸
３５  移動軸
３６  移動軸雄ねじ部
３７  雄ねじ棒
３８  電動モータ
４  浴室
４１  洗い場床面
４２  支持棚
４３  ピット
４４  電動モータのＯＮ―ＯＦ切り替え操作ボックス
４５  シャワー付き混合栓
【要約】
【課題】  介護提供者の労力及び被介護者の恐怖心が軽減されるというメリットを生かしつつ、外槽内の掃除が可能な介護用バリアフリー浴槽の提供。
【解決手段】  内槽１は、浴室４の洗い場床面４１とほぼ同一高さの底面２１を備え、内槽１の開口縁部に備えた張り出しフランジ部１２を浴室４内に備えた支持棚４２に係脱自在に係止され、外槽２は、浴室４の洗い場床面４１に形成されたピット４３内に昇降機構３により昇降自在に収容された構成。
【選択図】      図２【図１】
0006025281.tif 000002
【図２】
0006025281.tif 000003
【図３】
0006025281.tif 000004